(57)【要約】【課題】体への密着性が高く、ランドセルの左右の振れを抑制することができ、片方の背負いベルトを肩に掛けるだけでもランドセルを安定保持しうる背負いベルト取付け具およびランドセルを提供する。【解決手段】ランドセルの底面に取り付けられるベース１１と、そのベースに回動自在に設けられるカップ状の回動部材１２と、その回動部材に揺動自在に設けられるＣ字状のベルト連結鐶１３とを有し、ベルト連結鐶に取り付けられた背負いベルトＢが、所定の角度より外側に拡がらないように回動部材１２の外向きの回転を規制するストッパ機構を備えている背負いベルト取付け具１０。ストッパ機構は、ベース１１に設けた係止部１５と、回動部材１２に取り付けたプレート３６に設けたラチェット爪４０などの突起によって構成している。【選択図】図１
2013215550.tif 000002
【特許請求の範囲】
【請求項１】
ランドセルの底面に取り付けられるベースと、そのベースに対し垂直方向の軸回りに回動自在に設けたカップ状の回動部材と、その回動部材に対し、回動中心と直交する軸の回りに揺動自在に設けられるＣ字状のベルト連結鐶とを備え、
さらに前記ベルト連結鐶に取り付けられる背負いベルトが所定の角度より外側に拡がらないように、前記回動部材の外向きの回転を規制するストッパ機構を備えている背負いベルト取付け具。
【請求項２】
前記ストッパ機構が、前記ベースに設けた係止部と、前記回動部材に設けた、前記係止部と係合する係合部とを備えている請求項１記載の背負いベルト取付け具。
【請求項３】
前記ストッパ機構が、前記ベースに設けた係止部と、前記回動部材に取り付けられたプレートに設けた、前記係止部と係合する突起とを備えている請求項１記載の背負いベルト取付け具。
【請求項４】
前記ストッパ機構が、前記ベースに設けた係止部と、前記回動部材に取り付けられたプレートに設けた、前記係止部と係合する凹所とを備えている請求項１記載の背負いベルト取付け具。
【請求項５】
前記ストッパ機構が、前記回動部材の内向きの回転を許し、外向きの回転を規制するラチェット機能を備えている請求項１記載の背負いベルト取付け具。
【請求項６】
前記係止部と係合する突起が、回動部材が外向きに回動するときに係止部と係合し、内向きに回動するときに係止部と係合しないラチェット爪である請求項３記載の背負いベルト取付け具。
【請求項７】
前記プレートに、外向きに回動するときの前側が自由端となる弾性舌片が形成されると共に、その弾性舌片の自由端に前記ラチェット爪が形成されており、
そのラチェット爪が、前記自由端側に係止部と係合する係止面を有し、自由端と反対側に緩い角度の滑り面を備えている請求項６記載の背負いベルト取付け具。
【請求項８】
前記プレートが、回動部材内に突出するベルト連結鐶の軸端と回動自在に係合する支持突起を有する請求項３、４または７記載の背負いベルト取付け具。
【請求項９】
前記ストッパ機構が、前記回動部材の所定の角度範囲の回転を許し、その範囲を超える内向きの回転および外向きの回転をそれぞれ規制する請求項１記載の背負いベルト取付け具。
【請求項１０】
前記ベースが金属薄板製である請求項１〜９のいずれかに記載の背負いベルト取付け具。
【請求項１１】
前記ベースが合成樹脂製である請求項１〜９のいずれかに記載の背負いベルト取付け具。
【請求項１２】
背負いベルトの下端が、底面に対して垂直方向の軸回りに回動自在に、かつ、所定の角度より外側に拡がらないように取り付けられているランドセル。
【請求項１３】
前記背負いベルトの下端が、背負いベルトが底面のコーナー部を超えて外側に拡がらないように取り付けられている請求項１０記載のランドセル。
【請求項１４】
前記背負いベルトの下端が、請求項１〜１１いずれか記載の背負いベルト取付け具によって前記底面に取り付けられている請求項１２または１３記載のランドセル。
【発明の詳細な説明】
【技術分野】
【０００１】
本発明は背負いベルトの下ベルトをランドセルの底面に回動自在に連結する背負いベルト取付け具およびランドセルに関する。
【背景技術】
【０００２】
図２１に示すように、ランドセル１００の底面には、蓋１０１の止め金具１０２を施錠する錠前１０３の座金（ベース）１０４が固定されている。その座金１０４の両端には、背負いベルトの下ベルト１０５の下端を連結するためのベルト取付け具（いわゆるダルマ鐶）１０６が取り付けられている。
【０００３】
図２２に示すように、ベルト取付け具１０６は、カップ状の本体１０７と、その本体に対して直径方向の軸周りに回動自在に連結されるＣ字状のベルト連結具１０８とを備えている。ベルト取付け具１０６の本体１０７は、ピン１０９によって座金１０４に対して回転自在に止着されている。このようなベルト取付け具１０６および座金１０４は、特許文献１や特許文献２に記載されている。なお、特許文献１のベルト取付け具では、児童の体格に合わせるため、左右のベルト取付け具の間隔を調節可能にしている。特許文献３の図５には、背負いベルトの上端が揺動自在のレバーを有する背環を介して背板の上部に取り付けられるランドセルが記載されている。
【先行技術文献】
【特許文献】
【０００４】
【特許文献１】登録実用新案第３１５２９７３号公報
【特許文献２】登録実用新案第３１２４９０６号公報
【特許文献３】登録実用新案第３１１８０３１号公報
【発明の概要】
【発明が解決しようとする課題】
【０００５】
従来のベルト取付け具は、左右の背負いベルトが外側に大きく拡がるためランドセルを楽に背負うことができる。しかし片方の背負いベルトを引き上げてランドセルを背負う場合、背負いベルトが回転するのでランドセルが安定せず、背負いにくい。とくに特許文献３のような、背負いベルトの上端を取り付ける左右一対のレバーが揺動自在であるランドセルの場合は、一層背負いにくくなる。また背負った後は、体への密着性が低く、児童が駆け出すときなどにランドセルが左右に大きく揺れて走りにくい。また、片方の背負いベルトが肩から外れると他方の背負いベルトも外れやすく、ランドセルが落ちそうになる。
【０００６】
また、児童がランドセルを背負うとき、片方の背負いベルトに腕を通し、ついで他方の背負いベルトに残りの腕を通す。そのため、後に通す背負いベルトは図２３に示すように横方向に拡がる。そして背負いベルトが外側に拡がって下ベルト１０６がランドセル１００の側襠側に移動した状態で使用していると、下ベルト１０５がランドセル１００の下端の角で屈曲され、曲がり癖がつく。そして一旦、曲がり癖がつくと、形が崩れて見苦しいだけでなく、背負いベルトＢがランドセル１００の側襠に一層移動しやすくなり、背中への密着性が低くなる。そして背負いベルトＢが児童の肩から一層外れやすくなる。
【０００７】
本発明は体への密着性が高く、児童が駆けだしたときでもランドセルの左右の振れを抑制することができるランドセルの背負いベルト取付け具およびランドセルを提供することを技術課題としている。
【課題を解決するための手段】
【０００８】
本発明の背負いベルト取付け具（請求項１）は、ランドセルの底面に取り付けられるベースと、そのベースに対し垂直方向の軸回りに回動自在に設けたカップ状の回動部材と、その回動部材に対し、回動中心と直交する軸の回りに揺動自在に設けられるＣ字状のベルト連結鐶とを備え、さらに前記ベルト連結鐶に取り付けられる背負いベルトが所定の角度より外側に拡がらないように、前記回動部材の外向きの回転を規制するストッパ機構を備えていることを特徴としている。
【０００９】
前記ストッパ機構は、前記ベースに設けた係止部と、前記回動部材に設けた、前記係止部と係合する係合部とを備えているものが好ましい（請求項２）。また、前記ストッパ機構は、前記ベースに設けた係止部と、前記回動部材に取り付けられたプレートに設けた、前記係止部と係合する突起または凹所とを備えているものが好ましい（請求項３、４）。
【００１０】
また、前記ストッパ機構は、回動部材の内向きの回転を許し、外向きの回転を規制するラチェット機能を備えているものがさらに好ましい（請求項５）。その場合、前記係止部と係合する突起は、回動部材が外向きに回動するときに係止部と係合し、内向きに回動するときに係止部と係合しないラチェット爪とすることができる（請求項６）。
【００１１】
前記ラチェット機能を有するストッパ機構においては、前記プレートに、外向きに回動するときの前側が自由端となる弾性舌片が形成されると共に、その弾性舌片の自由端に前記ラチェット爪が形成されており、そのラチェット爪が、前記自由端側に係止部と係合する係止面を有し、自由端と反対側に緩い角度の滑り面を備えているものが好ましい（請求項７）。
【００１２】
前記回動部材に取り付けたプレートは、回動部材内に突出するベルト連結鐶の軸端と回動自在に係合する支持突起を有するものが好ましい（請求項８）。前記ストッパ機構は、回動部材の所定の角度範囲の回転を許し、その範囲を超える内向きの回転および外向きの回転をそれぞれ規制するものが好ましい（請求項９）。また前記ベースは金属薄板製とすることができる（請求項１０）。さらにベースは合成樹脂製とすることもできる（請求項１１）。
【００１３】
本発明のランドセル（請求項１２）は、背負いベルトの下端が、底面に対して回動自在に、かつ、所定の角度より外側に拡がらないように取り付けられていることを特徴としている。このようなランドセルにおいては、前記背負いベルトの下端が、背負いベルトが底面のコーナー部を超えて外側に拡がらないように取り付けられているランドセルが好ましい（請求項１３）。前記ランドセルにおいては、背負いベルトの下端が、前述のいずれかの背負いベルト取付け具によって前記底面に取り付けられているランドセルが好ましい（請求項１４）。
【発明の効果】
【００１４】
本発明の背負いベルト取付け具（請求項１）は、背負いベルトの下端を取り付る回動部材を所定の角度より外側に回転しないように規制するストッパ機構を備えているので、ランドセルが左右に揺れても、背負いベルトが所定の角度より外側に拡がらず、肩から脱落し難い。さらに背負いベルトの身体への密着性が高いので、児童が駆けたりしてもランドセルが背中から大きく離れない。また、左右の大きな揺れが抑制される。
【００１５】
前記ストッパ機構を、前記ベースに設けた係止部と、前記回動部材に設けた、前記係止部と係合する係合部とから構成する場合（請求項２）は、従来のランドセルに対し、回動部材とベースを一部変更するだけでよく、他の部品は変更しなくてもよい。したがって従来の製造設備や方法をほぼそのまま採用しうる。前記ストッパ機構が、前記ベースに設け
た係止部と、前記回動部材に取り付けられたプレートに設けた、前記係止部と係合する突起または凹所とを備えている場合（請求項３、４）は、従来の背負いベルト取付け具の形態をほとんど変更せずに、プレートを追加し、ベースに係止部を設けるだけでストッパ機構とすることができる。
【００１６】
前記ストッパ機構が、回動部材の内向きの回転を許し、外向きの回転を規制するラチェット機能を備えている場合（請求項５）は、ランドセルを梱包するときに背負いベルトの下ベルトは、内向き（ラチェットの非係合方向）に回すことにより、ランドセルの正面側（垂れ蓋側）に回すことができる。また、購入者が梱包から取り出した後は、下ベルトを同じ向き（ラチェットの非係合方向）に回すことにより、通常の使用状態である背面側（背板側）に回すことができる。
【００１７】
前記係止部と係合する突起が、回動部材が外向きに回動するときに係止部と係合し、内向きに回動するときに係止部と係合しないラチェット爪である場合（請求項６）は、従来の背負いベルト取付け具の形態をほとんど変更せずに、所定のプレートを追加してベースに係止部を設けるだけでラチェット機能を備えたストッパ機構とすることができる。
【００１８】
前記プレートに、外向きに回動するときの前側が自由端となる弾性舌片が形成されると共に、その弾性舌片の自由端に前記ラチェット爪が形成されており、そのラチェット爪が、前記自由端側に係止部と係合する係止面を有し、自由端と反対側に緩い角度の滑り面を備えている場合（請求項７）は、シンプルな構成でラチェット機能を備えたストッパ機構を実現することができる。
【００１９】
前記回動部材に取り付けたプレートが、回動部材内に突出するベルト連結鐶の軸端と回動自在に係合する支持突起を有する場合（請求項８）は、従来の背負いベルト取付け具の構成を利用して、回動部材にプレートを回転しないように取り付けることができる。
【００２０】
前記ストッパ機構が、前記回動部材の所定の角度範囲の回転を許し、その範囲を超える内向きの回転および外向きの回転をそれぞれ規制する場合（請求項９）は、簡単な構成でストッパ機構を実現することができる。また、ラチェット機構を用いる場合のようにベルトに捻れが生ずることがないので、取り扱いが簡単である。
【００２１】
前記ベースが金属薄板製である場合（請求項１０）は、耐久性が高く、製造が容易である。前記ベースが合成樹脂製である場合（請求項１１）は、軽量で、立体的な形状も容易に成形することができる。
【００２２】
本発明のランドセル（請求項１２）は、背負いベルトの下端が、底面に対し垂直方向の軸回りに回動自在に、かつ、所定の角度より外側に拡がらないように取り付けられているので、ランドセルが左右に揺れても、背負いベルトの下ベルトは所定角度より外側に拡がらない。そのため、背負いベルトは肩から脱落し難い。さらに背負いベルトの身体への密着性が高いので、児童が駆けたりしてもランドセルが背中から大きく外れない。また、左右の大きな揺れが抑制される。
【００２３】
このようなランドセルにおいて、前記背負いベルトの下端が、背負いベルトが底面のコーナー部を超えて外側に拡がらないように取り付けられている場合（請求項１３）は、背負いベルトが外側に拡がっても容易に戻すことができる。すなわち背負いベルトが一旦コーナー部を超えて外側に回ると、コーナー部で引っかかるため内側に戻すのが難しいが、上記ランドセルでは、コーナー部を超えないように規制するので、内側に容易に戻すことができる。
【００２４】
前記ランドセルにおいては、背負いベルトの下端が前述のいずれかの背負いベルト取付け具によって取り付けられている場合（請求項１４）は、それぞれそのベルト取付け具の作用効果を奏する。
【図面の簡単な説明】
【００２５】
【図１】本発明の背負いベルト取付け具の一実施形態を示す平面図である。
【図２】図１の背負いベルト取付け具の一部切り欠き正面図である。
【図３】図２におけるラチェット機構を示す図１のII−II線拡大断面図である。
【図４】図１の背負いベルト取付け具の組み立て前の斜視図である。
【図５】図４におけるプレートの下方から見た斜視図である。
【図６】図６ａ、図６ｂ、図６ｃはそれぞれ図５のプレートの平面図、正面図および側面図である。
【図７】図７ａは図５のプレートの底面図、図７ｂは図６ａのVII-VII線断面図である。
【図８】本発明のランドセルの一実施形態を示す底面図である。
【図９】図９ａおよび図９ｂはそれぞれ図８のランドセルの要部側面図および要部背面図である。
【図１０】図１０ａ、図１０ｂ、図１０ｃ、図１０ｄはそれぞれ本発明に関わるストッパ機構の他の実施形態を示す平面図である。
【図１１】図１１ａは本発明に関わるストッパ機構の他の実施形態を示す一部切り欠き平面図、図１１ｂはそのストッパ機構におけるプレートを示す斜視図である。
【図１２】図１２ａは本発明の背負いベルト取付け具の他の実施形態を示す組み立て前の斜視図、図１２ｂはその背負いベルト取付け具のプレートの下方から見た斜視図である。
【図１３】図１２の背負いベルト取付け具におけるストッパ機構の作用を示す平面図である。
【図１４】図１４ａは本発明の背負いベルト取付け具のさらに他の実施形態を示す組み立て前の斜視図、図１４ｂはそれに用いられているプレートの下方から見た斜視図である。
【図１５】本発明の背負いベルト取り付け具のさらに他の実施形態を示す組み立て前の斜視図である。
【図１６】図１５の背負いベルト取付け具の要部断面正面図である。
【図１７】本発明の背負いベルト取付け具のさらに他の実施形態を示す組み立て前の斜視図である。
【図１８】本発明に関わるベースの他の実施形態を示す要部斜視図である。
【図１９】本発明の背負いベルト取付け具のさらに他の実施形態を示す組み立て前の一部断面正面図である。
【図２０】本発明の背負いベルト取り付け具のさらに他の実施形態を示す組み立て前の断面図である。
【図２１】従来のランドセルの一例を示す底面図である。
【図２２】従来の背負いベルト取付け具の一例を示す一部断面正面図である。
【図２３】従来のランドセルの使用状態を示す下方から見た斜視図である。
【発明を実施するための形態】
【００２６】
図１および図２に示す背負いベルト取付け具１０は、ランドセルの底面に取り付けられるベース１１と、そのベースに対して垂直方向の軸回りに回動自在に設けられるカップ状の回動部材１２と、その回動部材に対し、回動中心Ｊと直交する軸Ｌ回りに揺動自在に設けられるＣ字状のベルト連結鐶１３とを備えている。
【００２７】
ベース１１は、回動部材１２が取り付けられる座部１４に形成した係止部１５以外は従
来のものとほぼ同一である。すなわちこのベース１１は、ベース本体２０と、そのベース本体の中央の底面側に取り付けられる錠前２１と、そのベース本体２０の上面から突出する平面視が横長矩形状の係合突起２２と、錠前２１の操作軸２３の端部に固定され、係合突起２２の上面と摺接しながら回動する摘み２４とを備えている。係合突起２２は、ランドセルの垂れ蓋の先端に取り付けられる止め金具２５の係止孔２６と嵌合する部位である。
【００２８】
錠前２１は箱状のケース２７と、そのケース内に収容される磁石と、ケース２７を上下に貫通して９０度の範囲で往復回動自在に設けられる前述の操作軸２３と、前記ケース２７と共に操作軸の端部を支持する押え板２８とを有する。操作軸２３は、図１の実線のように摘み２４が係合突起２２と交差するロック位置と、係合突起２２と同方向に位置するロック解除位置（想像線参照）との間で往復回動自在に支持されている。
【００２９】
さらに操作軸２３は、バネによってロック位置側に付勢されると共に、錠前２１内のストッパによって、バネの付勢力に抗してロック解除位置に保持されている。符号２９は、ストッパの保持を解放するピンであり、止め金具２５によって押えられるとストッパの保持が解放されて摘み２４が自動的にロック位置まで回動し、ランドセルの垂れ蓋を閉じた状態に保持する。垂れ蓋を開ける場合は、摘み２４をロック解除位置まで手動操作で回動する。
【００３０】
これらの錠前２１の機構は公知であるが、本実施形態では、ケース２７と係合突起２２を合成樹脂の一体成形品とし、ベース本体２０に形成した矩形状の貫通孔から係合突起２２を突出させている。それにより、部品点数を少なくすることができ、係合突起２２と摘み２４の色を選択することにより、摘み２４がロック状態であるか、ロック解除状態であるかが見分けやすく、さらにカラフルで意匠性に富む。ベース本体２０は、アルミニウムなどの金属の薄板をプレス成形したものである。
【００３１】
ベース１１の両端の上面には、回動部材１２が回動軸３０によって回動自在に取り付けられている。回動部材１２は、ベース１１に形成した座部１４の上面を摺動する。座部１４は、図２および図４に示すように円環状の凹部であり、上面は平坦である。座部１４の中央にはさらに円形凹部３１が形成されている。円形凹部の中央には、回動軸３０が貫通し、その下端は円形凹部３１の底面側でカシメられ、あるいはワッシャで止められる。座部１４には、図３および図４に示すように、係止部１５が下方に突出するように形成されている。
【００３２】
この実施形態では、係止部１５はベース本体２０を構成する金属の薄板に形成した切り起し加工あるいは切り曲げ加工によって設けている。切り起し部はたとえば三角錐形あるいは半円錐形にすることができ、半径方向に沿うように切断線３３を形成し、その切断線が二等辺三角形の底辺となるように、他の２辺に相当する折り曲げ線３４に添って折り曲げ、中心の稜線（山の峰）を下方に突出させることにより行う（図３参照）。上面側から見ると三角錐状ないし半円錐状に凹陥している。
【００３３】
図１に示すように、この実施形態では左側の座部１４の係止部１５は、ベース１１の左右方向の線Ｋに対して約４５度反時計方向に回動した位置に２個形成している。２個所に設けるのは回動部材１２が安定して座部１４上で回動し、安定して回動を規制できるようにするためである。係止部１５は線Ｋに対して３０〜６０度程度の位置であればよく、ベルトＢがランドセルのコーナー部を超えて外向きに拡がらないように規制できればよい。右側の座部１４および係止部１４は左側と対称である。
【００３４】
前記回動部材１２は、図４に示すように、カップ状の形態を有し、その中に回動しない
ようにプレート（ストッパ）３６が収容されている。回動部材１２は、上面中央に回動軸３０が貫通する孔３０ａが形成され、側壁にベルト連結鐶１３の軸端１３ａが貫通する孔３０ｂが形成されている。回動部材１２は従来公知のものであり、たとえば金属の薄板からプレス形成により製造することができる。ベルト連結鐶１３も従来公知であり、Ｃ字状の形態を備え、背負いベルトの下ベルトの下端が係止される横杆１３ｂには金属製あるいは合成樹脂製のパイプ３７が装着されている。ベルト連結鐶１３は通常は金属製である。
【００３５】
プレート３６は、円板状の底部３８と、その底部の上面に突出する支持突起３９と、底部３８の底面側に突出するラチェット爪（係合部）４０とを備えており、合成樹脂の射出成型などで製造することができる。底部３８の上面周囲には、回動部材１２内に嵌合する段部４１が形成されている。支持突起３９には、ベルト連結鐶１３の左右の軸端１３ａと弾力的に、かつ、ベルト連結鐶１３の揺動を損なわないように嵌合する溝４２が形成されている（図６ａ、図６ｃ参照）。溝４２に軸端１３ａが嵌合することにより、プレート３６は回動部材１２に対して相対的に回転しないように保持される。
【００３６】
図７ａ、図７ｂに示すように、支持突起３９の底面側は空洞にされ、中心には、回動軸（図４の符号３０参照）を通す孔４３が設けられている。なお、回動軸３０は、回動部材１２を支持するほか、ベース１１をランドセルの底面に取り付ける機能を有し、その場合は回動軸３０の下端はベース１１の底面側、あるいはランドセルの内部で回動軸３０の回動を妨げない程度でカシメられる。
【００３７】
前記プレート３６には、外向きに回動するときの前側が自由端となる弾性舌片４４が形成されており、その弾性舌片４４の自由端の底面に前記ラチェット爪４０が形成されている（図３参照）。前記係止部１５とラチェット爪４０とでラチェット機構が形成され、プレート３６と座部１４とでストッパ機構が構成される。弾性舌片４４およびラチェット爪４０は、回動中心に対して回転対称となるように２個所に設けられている。
【００３８】
図３に示すラチェット爪４０は、弾性舌片４４の自由端に座部１４の縁部（切断線３３参照）と係合する係止面４６を有し、自由端と反対側に緩い角度の滑り面４７を備えている。弾性舌片４４は平面視で円弧状を呈しており、略９０度延びている。弾性舌片４４と他の部位との間には、円弧状のスリットが形成されている。それにより弾性舌片４４が上向きに弾力的に撓み、ラチェット爪４０がベースの座部１４に乗り上げることができる（図３の想像線参照）。なお、弾性舌片４４によってラチェット爪４０が下向きに強く加圧される場合、ベースの座部１４に対する摩擦抵抗は大きくなる。この場合、回動部材の回動が抑制されるので、背負いベルトの下ベルトはストッパ機構が作用しなくても外側に拡がり難くなる。
【００３９】
上記のごとく構成される背負いベルト取付け具１０では、左側の回動部材１２が図８の時計方向（矢印Ｐ）に回動するとき、すなわちベルト連結鐶に係止された背負いベルトＢが外向きに拡がるように回動するとき、図３に示すようにラチェット爪４０が係止部１５に係合し、それ以上は回動しない。したがって回動部材１２は所定の角度以上、たとえば図８に示すように底面のコーナー部近辺（第１停止位置Ｌｍ１）で停止し、それ以上は時計方向に回動しない。２個のラチェット爪４０は２個所の係止部１５にそれぞれ係合する。右側のベルト取付け具についても、背負いベルトＢの回動方向が対称である以外は左側の場合と同様である。それにより、児童が駆けだしたときでも、左右それぞれの背負いベルトが肩から外れるほど外側に逃げず、また、ランドセルの左右の振れを抑制することができる。係止部１５の角度位置は、背負いベルトが肩から外れない程度に回動部材１２の回動を規制する角度に選定すればよい。逆に、プレート３６のラチェット爪４０と支持突起３９の相対的な角度位置を適切な角度に選定してもよい。
【００４０】
他方、左側の回動部材１２は、内向き（矢印Ｑ方向）に回動させるとき、ラチェット爪４０は係止部１５がない側に移動するので、反対側の係止部１５がある第２停止位置Ｌｍ2までの約１８０゜の範囲で自由に往復回動することができる。すなわち、図８の左側の
プレート１６の斜め左下のラチェット爪４０は、下ベルトＢを外向き（矢印Ｐ方向）に回動させると左下の係止部によって回動が規制されるが、内向き（矢印Ｑ方向）に回動させると右上の係止部の位置に来るまでの約１８０゜の範囲で自由に回動できる。右側の回動部材についても同様である。通常の背負い状態ではこの範囲内で背負いベルトが揺動する。
【００４１】
ランドセルを梱包するときは、第２ラチェット位置Ｌｍ2を超えて下ベルトを反時計方
向（矢印Ｑ方向）に回動させる。なお、この方向はラチェットが空回り方向であるので、下ベルトＢは第２停止位置Ｌｔ2を超えて回動させることができる。そして下ベルトＢを
ランドセルの垂れ蓋側に向けた状態（想像線Ｂ１参照）にすることができる。そのため、従来と同様に上ベルトと下ベルトを連結することができるので、ランドセルを梱包用の箱に嵩低にして収容することができる。
【００４２】
購入者がランドセルを梱包から取り出して使用するときは、上ベルトを下ベルトから外し、背板側に反転させ、下ベルトは垂直軸回りにラチェットの空回り方向である反時計方向（矢印Ｑ方向）に回動させて背板側に向ける。その後、上ベルトと下ベルトを通常の向きで、すなわち表側同士を合わせた使用状態で連結する。なお、上下のベルトを連結した状態で誤って下ベルトを内向きに回動させ、第２係止位置Ｌｍ2を超えてしまうと、ラチ
ェット機構の作用で元に戻すことができなくなる。そのため、背負いベルトは捻れた状態のままになる。これを解消するには、一旦上ベルトと下ベルトを外し、下ベルトを矢印Ｑ方向に回動させて捻れを解消し、上ベルトと下ベルトを連結し直す。
【００４３】
前記実施形態では下ベルトがランドセルのコーナー部（第１停止位置Ｌｍ1）に来たと
き、それ以上、外向きに拡がらないようにしている。それにより図９ａ、図９ｂに示すように、背負いベルトＢはランドセルの背板５０の下端を通って背中側に来る。そして外向きの回動が防止されるため、想像線のように、側襠５１の方まで回り込むことがない。そのため、背負いベルトは児童の肩から外れにくい。
【００４４】
前記実施形態では、ラチェット爪４０および弾性舌片４４をそれぞれ２個所に設け、係止部１５を２個所に形成しているが、３個所以上でもよく、１個所でもよい。ラチェット爪４０と係止部１５は同数とするのが好ましいが、互いに異なる数とすることもできる。また、係止部１５は複数段で設けることもできる。その場合は、係止させる係止部１５を選択することにより、児童の体格や成長に合わせて、左右の背負いベルトの最大の拡がりの幅を調節することができる。係止させる係止部１５を変更するには、下ベルトを上ベルトから外し、下ベルトごと回動部材１２を内向きに回動させて前述のようにラチェット機構を空回りさせ、ラチェット爪４０が適切な係止部１５を超えたときに、外向きに回動させてラチェット爪４０を係止部１５に係止させればよい。なお、ラチェット爪４０と支持突起３９の相対的な角度位置が異なるプレート３６をいくつか準備しておき、児童の体格や成長に合わせてプレート３６を交換するようにしてもよい。
【００４５】
その他のストッパ機構の実施形態としては、図１０ａ、図１０ｂ、図１０ｃ、図１０ｄに示すものがある。図１０ａに示すストッパ機構は、円弧状の凹溝ないし凹部４８あるいは円弧状のスリットと、その凹部４８またはスリットに添って摺動する単なる突起４９とによって構成されている。凹部４８はプレート３６またはベース１１のいずれに形成してもよい。凹部４８をプレート３６に設ける場合は、突起４９はベース１１に形成する。凹部４８をベース１１に形成する場合は、突起４９はプレート３６に形成する。これらの場合は、ラチェット機構にしなくてもよい。また、ラチェット機能を有しない場合は、簡易
な構造なので安価に仕上げることができる。この場合、下ベルトは１８０度回動させることはできないが、ほぼ１８０度回動させることができる。
【００４６】
さらに図１０ｂに示すように、突起４９を１個にすれば下ベルトを１８０度以上、回動させることができる。さらに図１０ｃに示すように、突起４９を１個とし、凹部４８の拡がり角度θを大きくすれば２７０゜程度回動させることもできる。この場合は従来と同様に、梱包のときに下ベルトを背中側まで回動させることができる。
【００４７】
他方、角度θを１８０゜以下に、とくに９０゜以下に、たとえば図１０ｄに示すように４０〜６０゜程度にすることもできる。この場合はランドセルの梱包のときに下ベルトは垂れ蓋の側に反転させ、同じく反転させた上ベルトの先端を下ベルトのベルト通し（図９の符号Ｂ２）に通せばよい。
【００４８】
図１１ａはプレート３６とベルト連結鐶１３を所定の角度範囲で、たとえば９０゜の範囲で回動自在に連結するストッパ機構を示している。図１１ｂはプレート３６の斜視図である。このプレート３６は、底部３８の上側に、ベルト連結鐶１３の軸端１３ａが係合する一対の支持突起５２を突出形成している。支持突起５２は円筒状であり、上端に矩形状の切り欠き５２ａを形成している。図１１ａに示すように、ベルト連結鐶１３の軸端１３ａは支持突起５２の側縁５２ｂと係合する。
【００４９】
このストッパ機構は単独で使用することもできるが、図１０ａ、図１０ｂに示すような、下ベルトを略１８０度往復回動させることができるストッパ機構と組合せると、下ベルトの回動角度を拡げることができる。たとえばベースに対してプレート３６を１８０゜回動自在とし、そのプレートに対してベルト連結鐶１３を９０゜回動可能とする。それにより２７０゜程度往復回動させることができ、梱包のときに下ベルトを充分に垂れ蓋に回動させることができる。
【００５０】
図１２ａの背負いベルト取付け具５３は、ラチェット機構を設けず、ベース１１の座部１４に形成した扇状の凹部（係止部）４８ないし溝と、プレート３６の底面に突設した突起（係合部）４９とによってストッパ機構を構成している。他の点は図１、図２のベルト取り付け具１０と実質的に同じである。この実施形態では凹部４８は扇状の打抜き部であり、端部に曲げ起し片４８ａが下向きに設けられている。これにより突起４９が広い面と当接するので耐久性が高くなる。凹部４８と突起４９の組合せは想像線で示すように２組にすることもできる。
【００５１】
図１２ｂに示すように、突起４９は略扇状の平面形状を有する。このストッパ機構の作用は、図１３に示すように、ベルト連結鐶１３を一方向に回動させ、突起４９が凹部４８ないし溝の端縁に当接すると、図１０ｄの場合と同様にそれ以上の回動が規制される。そしてベルト連結鐶１３を反対方向に回動させる場合も、突起４９が凹部４８の反対側の端縁に当接し、それ以上の回動が規制される。突起４９は一対にすると回動部材１２の回転が安定するが、１個にすることもできる（図１０ｂ、図１０ｃ、図１０ｄ参照）。
【００５２】
前記実施形態では回動部材１２とベース１１の座部１４の間にプレート３６を介在させているので、回動部材１２自体は従来のものとほぼ同一のものを使用することができる。また、ベース１１についても、係止部１５以外は従来のものと同一のもので足りる。図１４に示すように、ベース１２を合成樹脂製とする場合は、厚さを厚くして強度を高めることが容易である。また、肉厚を厚くすることにより、凹部４８の内面に当接する突起４９の耐久性が高くなる。ベース１１が金属薄板製の場合は、強度の面から、凹部４８は１箇所とするのが好ましい。
【００５３】
また、回動部材１２を新たに設計することもでき、回動部材１２とプレート３６を一体成形品とすることも可能である。たとえば図１５に示す背負いベルト取り付け具５４は、回転部材１２の下端に半径方向外向きに突出する一対の係止突起（係合部）５５を有する。そしてベース１１の座部１４には、扇状の凹部５６と扇状の突起５７を円周方向に交互に設けている。この場合の凹部５６の半径方向の壁５８は、係止突起５５と係合する部位（係止部）である。このストッパ機構は、ベース１１の凹部５６と回動部材１２の突起とで構成している。ただしベース１１の凹部５６と凹部５６の間は見方を変えれば凸部であるので、凸部と凸部でストッパ機構を構成していると見ることもできる。なお、回動部材１２を金属板の成形品とし、下端に半径方向に突出する係止突起を設け、座部１４の段部の内周面に係止突起と係合する切り欠き溝を形成するようにしてもよい。
【００５４】
図１５の背負いベルト取付け具５４では、回動部材１２は図１６に示すように、合成樹脂の一体成形品である。ただし設計強度によっては、金属製の心材の周囲に合成樹脂をインサート成型することもできる。また、ベース１１についても、図１７に示すように、合成樹脂の一体成形品としている。それにより突起５５や凹部５６の形状や寸法の精度を高くすることができる。合成樹脂製のベース１１や回動部材１２は、金属メッキを施すと、商品価値が向上する。
【００５５】
前記実施形態ではプレート３６を回動部材１２に固定しているが、ベース１１側に固定することもできる。その場合はプレート３６と回動部材１２の間でラチェット機構あるいはその他の回動範囲規制構造を設ける。その場合、回動部材１２自体に突起４９などを設けるほか、ベルト連結鐶１３の軸端１３ａを利用することもできる。さらにプレート３６を介在させず、ベース１１に切り起しなどで突起４９を形成し、回動部材１２またはベルト連結鐶１３に形成した係合部と係合させるようにしてもよい。この場合、合成樹脂などで突起４９を別個に形成し、止めネジなどで止めると強度が高くなる。また、切り起し片に合成樹脂でインサート成形を行って突起４９を設けることもできる。
【００５６】
前記実施形態では、いずれもベース１１に凹部４８を形成しているが、図１７に示すように、ベース１１に突起６１ａ、６１ｂを形成し、プレート３６の凹溝６３ａ、６３ｂの端部と当接させることによりストッパ機構とすることもできる。この実施形態ではベース１１は金属薄板製であり、ベース１１の係止突起６１ａ、６１ｂは上向きに突出させた切り起し部である。これらの係止突起６１ａ、６１ｂは、回動部材１２の回転に関して反対の方向に係止面６２ａ、６２ｂが向くように、すなわち回動部材１２が一方向に回動したとき、一方の係止突起６１ａの係止面６２ａがプレート３６の係合部と係合し、他方向に回動したとき、他方の係止突起６１ｂの係止面６２ｂが係合するような向きに形成されている。なお、回動部材１２自体に係合溝を形成してもよい。
【００５７】
このストッパ機構６０では、回動部材を一方向に回動させると一方の係止突起６１ａの係止面６２ａが対応する係合溝６３ａの端部内面に係合し、それ以上の回動が規制される。また他方向に回動させると他方の係止突起６１ｂの係止面６２ｂが対応する係合溝６３ｂの端部内面に係合してそれ以上の回動が規制される。
【００５８】
図１８に示すベース６４は合成樹脂製であり、座部６５が深く形成されている。そして突起６６は切り起し加工によって成形されるのではなく、樹脂成形のときに同時に成形している。ただし成形後にネジや溶接などで固着することもできる。また、プレートを使用せずにベースと回動部材のいずれか一方に突起を設け、他方に溝ないし凹部を設けることもできる。さらに両方に突起を設けることもできる。
【００５９】
図１９に示す背負いベルト取付け具では、プレート３６の下面にベース１１の円形凹部３１と嵌合する円柱状の回転軸３６ａを設けている。回転軸３６ａの下面は、ベース１１
の凹部１１ａと摺動するように平坦にしている。さらに回転軸３６ａの半径方向外側に突起４９を設け、ベース１１にはその突起４９を係合する係止突起６１を形成している。図１９の実施形態ではベース１１は金属薄板製であり、ベースの係止突起６１は図１７の係止突起６１ａ、６１ｂと同様の切り起し部である。プレートの突起４９およびベースの係止突起６１は、２組設けることができる。また、ベース１１は合成樹脂製とすることもできる。
【００６０】
図２０に示す背負いベルト取り付け具７０は、プレート３６をベース１１の下側から取り付けるものである。ベース１１の底面に扇状の突起５７を係止部として形成しており、プレート３６に凹部５６の壁と係合する係止突起５５を係合部として形成している。この背負いベルト取付け具７０では、ベース１１も回動部材１２も合成樹脂製としている。ただし金属板製とすることもできる。この背負いベルト取り付け具７０の作用は図１４の背負いベルト取付け具５４と同様である。
【００６１】
上記いくつかの実施形態から分かるように、ベース１１と回動部材１２の回動を規制するために、両者のいずれに突起を設けるか、あるいは溝を設けるか、両方の突起を設けるかは、材料や成形方法などに応じて選択する事項である。
【００６２】
前述のプレートを備えた背負いベルト取付け具では、プレート３６の回り止めとして、支持突起３９とベルト連結鐶１３の軸端１３ａとの嵌合を利用している。しかし回動部材１２の内面を四角形や六角形などとし、その内面に同形状の輪郭にしたプレート３６を嵌合させて回り止めとすることもできる。さらに止めネジなどを用いて回動部材１２に固定することもできる。
【符号の説明】
【００６３】
１０  背負いベルト取付け具
１１  ベース
１１ａ  凹部
１２  回動部材
１３  ベルト連結鐶
Ｂ  背負いベルト
１３ａ  軸端
１３ｂ  横杆
１４  座部
１５  係止部
２０  ベース本体
２１  錠前
２２  係合突起
２３  操作軸
２４  摘み
２５  止め金具
２６  係止孔
２７  ケース
２８  押え板
２９  ピン
３０  回動軸
３０ａ  孔
３１  円形凹部
３３  切断線
３４  折り曲げ線
３６  プレート
３６ａ  回転軸
３７  パイプ
３８  底部
３９  支持突起
４０  ラチェット爪
４１  段部
４２  溝
４３  孔
４４  弾性舌片
４６  係止面
４７  滑り面
４８  凹部
４８ａ  曲げ起し片
４９  突起
Ｌｔ1  第１停止位置
Ｌｔ2  第２停止位置
θ  角度（回動範囲）
５０  背板
５１  側襠
５２  支持突起
５２ａ  切り欠き
５２ｂ  側縁
５３  背負いベルト取付け具
５４  背負いベルト取付け具
５５  係止突起
５６  扇状の凹部
５７  扇状の突起
５８  壁
６０  ストッパ機構
６１ａ、６１ｂ  係止突起
６１  係止突起
６２ａ、６２ｂ  係止面
６３ａ、６３ｂ  係合溝
６４  ベース
６５  座部
６６  突起
７０  背負いベルト取付け具
【図１】
2013215550.tif 000003
【図２】
2013215550.tif 000004
【図３】
2013215550.tif 000005
【図４】
2013215550.tif 000006
【図５】
2013215550.tif 000007
【図６】
2013215550.tif 000008
【図７】
2013215550.tif 000009
【図８】
2013215550.tif 000010
【図９】
2013215550.tif 000011
【図１０】
2013215550.tif 000012
【図１１】
2013215550.tif 000013
【図１２】
2013215550.tif 000014
【図１３】
2013215550.tif 000015
【図１４】
2013215550.tif 000016
【図１５】
2013215550.tif 000017
【図１６】
2013215550.tif 000018
【図１７】
2013215550.tif 000019
【図１８】
2013215550.tif 000020
【図１９】
2013215550.tif 000021
【図２０】
2013215550.tif 000022
【図２１】
2013215550.tif 000023
【図２２】
2013215550.tif 000024
【図２３】
2013215550.tif 000025